(57)【要約】【課題】パンチセットブロック本体にパンチの浮き上がりを防止するための固定具を設けることにより、パンチの交換を頻繁に行うことによるパンチ孔（段付パンチ孔）の摩耗によりパンチ（ツバ付パンチ）の浮き上がりを確実に防止することができ、パンチリテーナー装置のトラブルも解消できるパンチセットブロックを提供する。【解決手段】エアーシリンダー等にてカム板が前進したときはパンチがリテーナーブロックの下面からストローク分突出し、かつカム板が後退したときはパンチがリテーナーブロック内にストローク分引っ込む如く構成したパンチリテーナー装置におけるパンチセットブロックであって、パンチ孔を設けたパンチセットブロック本体に、パンチの浮き上がりを防止するための固定具を設けてなる。【選択図】　図１
2004009137.tif 000002
【特許請求の範囲】
【請求項１】
エアーシリンダー等にてカム板が前進したときはパンチがリテーナーブロックの下面からストローク分突出し、かつカム板が後退したときはパンチがリテーナーブロック内にストローク分引っ込む如く構成したパンチリテーナー装置におけるパンチセットブロックであって、パンチ孔を設けたパンチセットブロック本体に、パンチの浮き上がりを防止するための固定具を設けてなることを特徴とするパンチセットブロック。
【請求項２】
固定具が、パンチセットブロック本体の上部に設けた溝に対して、着脱自在に取り付ける押え板と、該押え板を固定するためのビスとからなることを特徴とする請求項１記載のパンチセットブロック。
【請求項３】
固定具が、パンチセットブロック本体の上部水平方向をカットしたカット面に対して、着脱自在に取り付ける押え板と、該押え板を固定するためのビスとからなることを特徴とする請求項１記載のパンチセットブロック。
【請求項４】
押え板に案内面を設けてなることを特徴とする請求項３記載のパンチセットブロック。
【請求項５】
パンチ孔を複数設けてなることを特徴とする請求項１、２、３又は４記載のパンチセットブロック。
【請求項６】
固定具を複数設けてなることを特徴とする請求項１、２、３、４又は５記載のパンチセットブロック。
【発明の詳細な説明】
【０００１】
【発明の属する技術分野】
この発明は、連続的に送られてくる被加工物を、順次プレス機械上に載せプレスするとき、孔を開けたり、開けなかったりするのに使用するパンチセットブロックに関するものである。
【０００２】
【従来の技術】
従来の技術としては、図１０及び図１１に示すようなパンチセットブロックａがある。
パンチセットブロックａは、後述するリテーナーブロックＲの深溝Ｒ１内を上下動するもので、中央部に後述するツバ付パンチＰを装着する段付パンチ孔ａ１を形設すると共に、上面端部に後述するカム板Ｋを案内する斜状の案内面ａ２を形成してなるものである。
【０００３】
上記のような形態のパンチセットブロックａの使用例として図１２・図１３・図１４に示す。
図１２に示すように、パンチセットブロックａはパンチリテーナー装置ＰＲ内に設けてなるもので、打抜き加工を行わない時は、エアーシリンダーＡＳを作動させスライド軸ＡＳ１を後方に移動させることによりパンチセットブロックａよりカム板Ｋを後方へ引き込む。
この時、パンチセットブロックａは圧縮スプリングＳにより上方へ押し上げられており、同時にツバ付パンチＰも上昇している。（図１２参照）
【０００４】
つぎに、打抜き加工を行う時、エアーシリンダーＡＳを作動させスライド軸ＡＳ１を前方に押し出すことによりカム板Ｋの斜面Ｋ１がパンチセットブロックａの案内面ａ２に当接し、徐々にパンチセットブロックａが下方に移動するが、何回もツバ付パンチＰを交換していると、パンチセットブロックａの段付パンチ孔ａ１の径が徐々に大きくなり、衝撃等によりツバ付パンチＰが上方に浮き上がり（図１３の二点鎖線部参照）、最悪の場合、カム板Ｋの斜面Ｋ１がツバ付パンチＰの頭部に当ってしまい、作動しないことがある。
【０００５】
つまり、図１４に示すように、ツバ付パンチＰの上面にカム板Ｋの下面が乗り、ツバ付パンチＰを押えることができなくなるということである。
【０００６】
【発明が解決しようとする課題】
この発明は、上記の問題点に鑑みなされたもので、その目的はパンチセットブロック本体にパンチの浮き上がりを防止するための固定具を設けることにより、パンチの交換を頻繁に行うことによるパンチ孔（段付パンチ孔）の摩耗によりパンチ（ツバ付パンチ）の浮き上がりを確実に防止することができ、パンチリテーナー装置のトラブルも解消できるパンチセットブロックを提供するものである。
【０００７】
【課題を解決するための手段】
上記目的を達成するための手段として、エアーシリンダー等にてカム板が前進したときはパンチがリテーナーブロックの下面からストローク分突出し、かつカム板が後退したときはパンチがリテーナーブロック内にストローク分引っ込む如く構成したパンチリテーナー装置におけるパンチセットブロックであって、パンチ孔を設けたパンチセットブロック本体に、パンチの浮き上がりを防止するための固定具を設けてなること。また、固定具が、パンチセットブロック本体の上部に設けた溝に対して、着脱自在に取り付ける押え板と、該押え板を固定するためのビスとからなること。固定具が、パンチセットブロック本体の上部水平方向をカットしたカット面に対して、着脱自在に取り付ける押え板と、該押え板を固定するためのビスとからなること。さらに、押え板に案内面を設けてなること。さらにまた、パンチ孔を複数設けてなること。その上、固定具を複数設けてなることを特徴とする。
【０００８】
【発明の実施の形態】
１は、エアーシリンダー等にてカム板が前進したときはパンチがリテーナーブロックの下面からストローク分突出し、かつカム板が後退したときはパンチがリテーナーブロック内にストローク分引っ込む如く構成したパンチリテーナー装置におけるパンチセットブロックである。
２は、パンチセットブロック本体で、中央付近にツバ付パンチＰ１を装着する段付パンチ孔２ａを形設し、上面端部にカム板（図示せず）を案内する斜状の案内面２ｂを形設すると共に、上面中央付近に溝２ｃを設けてなるものである。
３は、上記溝２ｃに着脱自在に取り付ける固定具で、平板状の押え板３ａと、該押え板３ａを固定するための２本のビス３ｂとからなる。
【０００９】
上記のように構成したパンチセットブロック１の使用例について下記に述べる。
図３に示すように、カム板Ｋａの斜面Ｋａ１がパンチセットブロック１の案内面２ｂに当接し、徐々にパンチセットブロック１が下方に移動するが、固定具３にてツバ付パンチＰ２が浮き上がりを防止することができるものである。
【００１０】
つぎに、他の実施例を説明する。
図４・図５に示すように、パンチセットブロック２１は、パンチセットブロック本体２２に２箇所の段付パンチ孔２２ａを設けると共に、その上部に２枚の平板状の押え板２３ａと４本のビス２３ｂとからなる２つの固定具２３を設けてなるものである。
【００１１】
このパンチセットブロック２１は、ツバ付パンチ（図示せず）を２本同時に使用する場合も１本のみ使用する場合も有効に使用できるものである。
【００１２】
図６・図７に示すように、パンチセットブロック３１は、パンチセットブロック３２の案内面３２ｂのほぼ中央中心部より後方水平方向に溝３２ｃを設け、該溝３２ｃに同形の案内面３３ａ１を形成した平板状の押え板３３ａと、該押え板３３ａを固定するための１本のビス３３ｂとからなる固定具３３を設けてなるものである。
なお、段付パンチ孔３２ａは中央付近に１箇所設けてなる。
【００１３】
このパンチセットブロック３１は、押え板３３ａに案内面３３ａ１を形成することにより、カム板の斜面が案内面３３ａ１に当接した時点で、パンチの浮き上がりを防止することができるものである。
【００１４】
また、図８・図９に示すような、パンチセットブロック４１は、パンチセットブロック４２の案内面４２ｂのほぼ中央全面より後方水平方向にカットしたカット面４２Ｃを設け、該カット面４２ｃに同形の案内面４３ａ１を形成した平板状の押え板４３ａと、該押え板４３ａを固定するための４本のビス４３ｂとからなる固定具４３を設けてなるものである。
なお、段付パンチ孔４２ａを斜状に２箇所設けてある。
【００１５】
このパンチセットブロック４１は、上記固定具３３と同様な機能効果に加え、複数のパンチを一枚の押え板４３ａで押えることにより、均等に押えることができる。
【００１６】
なお、上記各実施例において、ビスは上方より止めているが、下方からとめても良く、取り付けるパンチもツバ付パンチに限定するものではない。
また、固定具は同様な機能を有するものであれば、他の形態でも良い。
さらに、固定具はパンチが３本以上でも対応できるものである。
【００１７】
【発明の効果】
１）、パンチセットブロック本体に、パンチの浮き上がりを防止するための固定具を設けることにより、パンチの交換を頻繁に行うことによる段付パンチ孔の摩耗によりツバ付パンチの浮き上がりを確実に防止することができる。
２）、固定具が、押え板とビスとの構成であり、安価で、着脱が簡単にできるものである。
３）、パンチが複数の場合も、固定具を複数個設けて対応することができ、便利である。
４）、パンチが複数の場合、一枚の押え板で押えることにより、パンチを均等に押えることができ、パンチを安全に保持できる。
５）、固定具の押え板に案内面を形成することにより、カム板の斜面が案内面に当接した時点でパンチの浮き上がりを防止できる。
【図面の簡単な説明】
【図１】この発明の第１実施例を示すパンチセットブロックの平面図。
【図２】この発明の第１実施例を示すパンチセットブロックの正面図。
【図３】この発明の第１実施例を示すパンチセットブロックの使用状態を示す一部縦断正面図。
【図４】この発明の第２実施例を示すパンチセットブロックの平面図。
【図５】この発明の第２実施例を示すパンチセットブロックの正面図。
【図６】この発明の第３実施例を示すパンチセットブロックの平面図。
【図７】この発明の第３実施例を示すパンチセットブロックの一部縦断正面図。
【図８】この発明の第４実施例を示すパンチセットブロックの平面図。
【図９】この発明の第４実施例を示すパンチセットブロックの一部縦断正面図。
【図１０】従来例を示すパンチセットブロックの平面図。
【図１１】従来例を示すパンチセットブロックにツバ付パンチを取り付けた正面図。
【図１２】従来例を示すパンチセットブロックの使用状態のパンチセットブロックが上昇している時の一部縦断正面図。
【図１３】従来例を示すパンチセットブロックの使用状態のパンチセットブロックが下降し始めた時の一部縦断正面図。
【図１４】従来例を示すパンチセットブロックの使用状態のパンチセットブロックが下部に到達した時の一部縦断正面図。
【符号の説明】
１−−−パンチセットブロック
２−−−パンチセットブロック本体
２ａ−−段付パンチ孔
２ｂ−−案内面
３−−−固定具
３ａ−−押え板
３ｂ−−ビス
【図１】
2004009137.tif 000003
【図２】
2004009137.tif 000004
【図３】
2004009137.tif 000005
【図４】
2004009137.tif 000006
【図５】
2004009137.tif 000007
【図６】
2004009137.tif 000008
【図７】
2004009137.tif 000009
【図８】
2004009137.tif 000010
【図９】
2004009137.tif 000011
【図１０】
2004009137.tif 000012
【図１１】
2004009137.tif 000013
【図１２】
2004009137.tif 000014
【図１３】
2004009137.tif 000015
【図１４】
2004009137.tif 000016